(57)【要約】【課題】  白黒プリントしか許可されていないユーザでも、カラーのＢＯＸ文書を指定してプリントすることを可能とする。１）白黒変換可能な文書のみ指定可能で、他の文書は選択させない。２）カラー文書が選択された場合、強制的に白黒で出力する。３）カラー文書が選択されて、カラーで出力指示された場合、白黒変換設定するよう指示するダイアログを表示する。４）強制白黒モードで入った場合、デフォルトを白黒プリントとする。【解決手段】  画像データを入力する画像入力手段、前記画像入力手段により入力された画像データを順次記憶する画像記憶手段、前記画像記憶手段に記憶された画像データを読み出して順次プリント出力する画像出力手段、前記画像出力手段により出力した枚数をＩＤ毎に管理するＩＤ管理手段、前記ＩＤを入力するＩＤ入力手段を備える画像処理装置において、前記ＩＤが入力されない場合に、前記画像記憶手段に記憶されたカラー画像データを強制的に白黒に変換して前記画像出力手段に出力する強制白黒出力モードを有することを特徴とする画像処理装置。【選択図】        図１
2005195865.tif 000002
【特許請求の範囲】
【請求項１】
画像データを入力する画像入力手段、前記画像入力手段により入力された画像データを順次記憶する画像記憶手段、前記画像記憶手段に記憶された画像データを読み出して順次プリント出力する画像出力手段、前記画像出力手段により出力した枚数をＩＤ毎に管理するＩＤ管理手段、前記ＩＤを入力するＩＤ入力手段を備える画像処理装置において、前記ＩＤが入力されない場合に、前記画像記憶手段に記憶されたカラー画像データを強制的に白黒に変換して前記画像出力手段に出力する強制白黒出力モードを有することを特徴とする画像処理装置。
【請求項２】
前記ＩＤはコントロールカードで管理されることを特徴とする請求項１記載の画像処理装置。
【請求項３】
前記ＩＤを入力しない場合に、白黒変換できない画像はプリントを開始させずに警告表示することを特徴とする請求項１記載の画像処理装置。
【請求項４】
前記ＩＤを入力しない場合に、強制白黒出力モードを動作させるかどうかを予め設定しておく強制白黒出力モード設定手段を有することを特徴とする請求項１記載の画像処理装置。
【発明の詳細な説明】
【技術分野】
【０００１】
本発明は、画像を記憶しておけるカラーデジタル複写機等において、記憶されている画像をプリント出力するものに関する。
【背景技術】
【０００２】
従来、スキャナから読み取った画像データや、ホストコンピュータからネットワークを介して送られたＰＤＬデータをビットマップに展開した画像データをハードディスクなどのメモリに一旦記憶し、そのメモリから任意の原稿の画像データを繰り返し読み出してプリントアウトする機能を備えたデジタル複写機が知られている。
【０００３】
そして、このハードディスクなどのメモリをプリント出力用のテンポラリ画像メモリとして使用するだけでなく、ユーザ毎、部署毎等、論理的にパーティションを切ることで、そこに機密文書やよく使用する文書を入れておき、必要なときに複写機の操作パネルからユーザパスワードを入力して出力したり、ネットワークに接続された別の複写機にボックス内の文書を転送したりすることができるボックス機能が実現されている。さらに、ハードディスクの低価格化、大容量化に伴い、画像データ量の大きいカラー複合機においても同様の機能を実現することができるようになった（特許文献１参照）。
【０００４】
また、従来のカラー複写機では、部門毎のＩＤによるコピーのプリント枚数管理がソフトウェアＩＤやコントロールカードにより行われている（特許文献２参照）。加えて、部門ＩＤを知らなくても白黒コピーのみは許可する不定ＩＤ白黒コピー機能を備えるカラー複写機が検討されている。
【特許文献１】特開２０００−１０８４２５号公報
【特許文献２】特開平１１−２０３０８３号公報
【発明の開示】
【発明が解決しようとする課題】
【０００５】
しかしながら、不定ＩＤ白黒コピー機能はコピー機能に対して考えられた機能であり、コピーの場合はスキャンからプリントまで白黒で動作させることで実現するため、ボックス機能のようなハードディスク上に既にカラーで入っている画像に対する処理までは検討されておらず、部門ＩＤを持たないユーザはカラーで既にボックスに保存してある文書をプリントすることができないという問題が起こる可能性が考えられる。
【０００６】
本発明は、上記従来例の問題点に鑑みてなされたものであり、その目的とするところは、白黒プリントしか許可されていないユーザでも、ＩＤなしにハードディスクに入力されているカラー画像を強制白黒変換してプリントすることにより、手軽に白黒プリントすることができるカラーデジタル複合機を提供することである。
【課題を解決するための手段】
【０００７】
この発明は下記の構成を備えることにより上記課題を解決できるものである。
【０００８】
（１）画像データを入力する画像入力手段、前記画像入力手段により入力された画像データを順次記憶する画像記憶手段、前記画像記憶手段に記憶された画像データを読み出して順次プリント出力する画像出力手段、前記画像出力手段により出力した枚数をＩＤ毎に管理するＩＤ管理手段、前記ＩＤを入力するＩＤ入力手段を備える画像処理装置において、前記ＩＤが入力されない場合に、前記画像記憶手段に記憶されたカラー画像データを強制的に白黒に変換して前記画像出力手段に出力する強制白黒出力モードを有することを特徴とする画像処理装置。
【０００９】
（２）前記ＩＤはコントロールカードで管理されることを特徴とする前記（１）記載の画像処理装置。
【００１０】
（３）前記ＩＤを入力しない場合に、白黒変換できない画像はプリントを開始させずに警告表示することを特徴とする前記（１）記載の画像処理装置。
【００１１】
（４）前記ＩＤを入力しない場合に、強制白黒出力モードを動作させるかどうかを予め設定しておく強制白黒出力モード設定手段を有することを特徴とする前記（１）記載の画像処理装置。
【発明の効果】
【００１２】
本発明によれば、ＩＤ入力がされない場合においても、ハードディスクに入力されているカラー画像を強制的白黒変換してプリントすることにより、手軽に白黒プリントすることができるカラーデジタル複合機を提供することである。
【発明を実施するための最良の形態】
【００１３】
以下本発明を実施するための最良の形態を、実施例により詳しく説明する。
【実施例】
【００１４】
（第１の実施例）
本発明の実施例にかかわる画像入出力システムの全体構成を、図１を参照しながら説明する。
【００１５】
リーダー部（画像入力装置）２００は、原稿画像を光学的に読み取り、画像データに変換する。リーダー部２００は、原稿を読取るための機能を持つスキャナユニット２１０と、原稿用紙を搬送するための機能を持つ原稿給紙ユニット２５０とで構成される。
【００１６】
プリンタ部（画像出力装置）３００は、記録紙を搬送し、その上に画像データを可視画像として印字して装置外に排紙する。プリンタ部３００は、複数種類の記録紙カセットを持つ給紙ユニット３６０と、画像データを記録紙に転写、定着させる機能を持つマーキングユニット３１０と、印字された記録紙をソート、ステイプルして機外へ出力する機能を持つ排紙ユニット３７０とで構成される。
【００１７】
制御装置１１０は、リーダー部２００、プリンタ部３００と電気的に接続され、さらにネットワーク４００を介して、ホストコンピュータ１７０，１８０と接続されている。
【００１８】
制御装置１１０は、リーダー部２００を制御して、原稿の画像データを読込み、プリンタ部３００を制御して画像データを記録用紙に出力してコピー機能を提供する。また、リーダー部２００から読取った画像データを、コードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能、を提供する。
【００１９】
操作部１５０は、制御装置１１０に接続され、液晶タッチパネルで構成され、画像入出力システムを操作するためのユーザＩ／Ｆを提供する。
【００２０】
図２はリーダー部２００及びプリンタ部３００の断面図である。リーダー部の原稿給送ユニット２５０は原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６及びレンズ２１７によってＣＣＤイメージセンサ（以下ＣＣＤという）２１８へ導かれる。このように、走査された原稿の画像はＣＣＤ２１８によって読み取られる。ＣＣＤ２１８から出力される画像データは、所定の処理が施された後、制御装置１１０へ転送される。
【００２１】
２２２は画像処理回路部であり、読み取られた画像情報を電気信号として処理し、プリント信号として出力するところである。
【００２２】
プリンタ部３００のレーザドライバ３１７はレーザ発光部３１３、３１４、３１５、３１６を駆動するものであり、制御装置１１０から出力された画像データに応じたレーザ光をレーザ発光部３１３、３１４、３１５、３１６を発光させる。このレーザ光はミラー３４０、３４１、３４２、３４３、３４４、３４５、３４６、３４７、３４８、３４９、３５０、３５１によって感光ドラム３２５、３２６、３２７、３２８に照射され、感光ドラム３２５、３２６、３２７、３２８にはレーザ光に応じた潜像が形成される。３２１、３２２、３２３、３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００２３】
用紙カセット３２９、３３０及び手差しトレイ３３２のいずれかより給紙された用紙は、レジストローラ３３３を経て、転写ベルト３３４上に吸着され、搬送される。
【００２４】
そして、レーザ光の照射開始と同期したタイミングで、カセット３２９及びカセット３３０のいずれかから記録紙を給紙して転写ベルト３３４へ搬送し、感光ドラム３２５、３２６、３２７、３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排出され、排紙ユニット３７０は排出された記録紙を束ねて記録紙の仕分けをしたり、仕分けされた記録紙のステイプルを行う。
【００２５】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００２６】
＜制御装置の説明＞
制御装置１１０の機能を、図３に示すブロック図をもとに説明する。
【００２７】
メインコントローラ１１１は、主にＣＰＵ１１２と、バスコントローラ１１３、各種Ｉ／Ｆコントローラ回路とから構成される。
【００２８】
ＣＰＵ１１２とバスコントローラ１１３は制御装置１１０全体の動作を制御するものであり、ＣＰＵ１１２はＲＯＭ１１４からＲＯＭ  Ｉ／Ｆ１１５を経由して読込んだプログラムに基いて動作する。また、ホストコンピュータから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００２９】
ＤＲＡＭ１１６はＤＲＡＭ  Ｉ／Ｆ１１７によってメインコントローラ１１１と接続されており、ＣＰＵ１１２が動作するためのワークエリアや、画像データを蓄積するためのエリアとして使用される。
【００３０】
Ｃｏｄｅｃ１１８は、ＤＲＡＭ１１６に蓄積されたラスターイメージデータをＭＨ／ＭＲ／ＭＭＲ／ＪＢＩＧ等の方式で圧縮し、また逆に圧縮され蓄積されたコードデータをラスターイメージデータに伸長する。ＳＲＡＭ１１９はＣｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００３１】
Ｎｅｔｗｏｒｋ  Ｃｏｎｔｏｒｌｌｅｒ１２１はＩ／Ｆ１２２によってメインコントローラ１１１と接続され、コネクタ１２２によって外部ネットワークと接続される。ネットワークとしては一般的にイーサネット（Ｒ）があげられる。
【００３２】
汎用高速バス１２５には、拡張ボードを接続するための拡張コネクタ１２４とＩ／Ｏ制御部１２６とが接続される。汎用高速バスとしては、一般的にＰＣＩバスがあげられる。
【００３３】
Ｉ／Ｏ制御部１２６には、リーダー部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０，１４５に接続されている。
【００３４】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。
【００３５】
操作部１５０は液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆ５２０から送られてきた画像データを表示するものである。液晶表示部には、本画像形成装置の操作における機能表示や画像データ等を表示する。
【００３６】
リアルタイムクロックモジュール１３３は、機器内で管理する日付と時刻を更新／保存するためのもので、バックアップ電池１３４によってバックアップされている。
【００３７】
Ｅ−ＩＤＥインタフェース１６１は、外部記憶装置を接続するためのものである。本実施例においては、このＩ／Ｆを介してハードディスクドライブ１６０を接続し、ハードディスク１６２へ画像データを記憶させたり、ハードディスク１６２から画像データを読み込む動作を行う。
【００３８】
コネクタ１４２と１４７は、それぞれリーダー部２００とプリンタ部３００とに接続され、同調歩同期シリアルＩ／Ｆ（１４３，１４８）とビデオＩ／Ｆ（１４４，１４９）とから構成される。
【００３９】
スキャナＩ／Ｆ１４０は、コネクタ１４２を介してリーダー部２００と接続され、また、スキャナバス１４１によってメインコントローラ１１１と接続されており、リーダー部２００から受け取った画像を、その後の過程における処理の内容によって、最適な２値化を行ったり、主走査・副走査の変倍処理を行ったりする機能を有し、さらに、リーダー部２００から送られたビデオ制御信号をもとに生成した制御信号を、スキャナバス１４１に出力する機能も有する。
【００４０】
スキャナバス１４１からＤＲＡＭ１１６へのデータ転送は、バスコントローラ１１３によって制御される。
【００４１】
プリンタＩ／Ｆ１４５は、コネクタ１４７を介してプリンタ部３００と接続され、また、プリンタバス１４６によってメインコントローラ１１１と接続されており、メインコントローラ１１１から出力された画像データにスムージング処理をして、プリンタ部３００へ出力する機能を有し、さらに、プリンタ部３００から送られたビデオ制御信号をもとに生成した制御信号を、プリンタバス１４６に出力する機能も有する。
【００４２】
ＤＲＡＭ１１６上に展開されたラスターイメージデータのプリンタ部への転送は、バスコントローラ１１３によって制御され、プリンタバス１４６、ビデオＩ／Ｆ１４９を経由して、プリンタ部３００へＤＭＡ転送される。
【００４３】
図５は、デジタル複写機の操作部１５０のキー配列を示す。５０１は、電源スイッチであり、本体への通電を制御する。５０２は、予熱キーであり、予熱モードのＯＮ／ＯＦＦに使用する。５０３は、コピーＡモードキーであり、複数の機能の中からコピーＡモードを選択するときに使用する。５０４は、コピーＢモードキーであり、複数の機能の中からコピーＢモードを選択するときに使用する。コピーＡ及びコピーＢとは、各々同じコピー機能であるが、片方のコピーのスキャナ読み込みが終了している場合は次のコピーの入力ができるため、敢えてユーザに分かりやすくするために二つのコピーに分けている。５０５は、ボックスキーであり、複数の機能の中からボックスモードを選択するときに使用する。ボックス機能とは、ユーザ個人や部署毎に複写機内のメモリに記憶領域を持ち、そこにＰＤＬやスキャン画像を入れておき、好きなときに出力する機能である。５０６は、拡張キーであり、ＰＤＬに対する操作を行うときに使用する。５０３〜５０６は後述するＬＣＤ５１６の各々の機能画面を呼び出すときにも使用され、ＬＣＤ５１６の表示により各々のジョブの状況を見ることができる。５０７は、コピースタートキーであり、コピーの開始を指示するときに用いるキーである。５０８は、ストップキーであり、コピーを中断したり、中止したりするときに用いるキーである。５０９は、リセットキーで、スタンバイ中は標準モードに復帰させるキーとして動作する。５１０は、ガイドキーであり、各機能を知りたいときに使用するキーである。５１１は、ユーザモードキーであり、ユーザがシステムの基本設定を変更するときに使用する。５１２は、割り込みキーであり、コピー中に割り込みしてコピーしたいときに用いる。５１３は、テンキーであり、数値の入力を行うときに使用する。５１４は、クリアキーであり、数値をクリアするときに用いる。５１５は、ＩＤキーであり、複写機を使用する場合にＩＤの入力モードに移行するときに使用する。５１６は、液晶画面とタッチセンサの組合せからなるＬＣＤタッチパネルであり、各モード毎に個別の設定画面が表示され、さらに、描画されたキーに触れることで、各種の詳細な設定を行うことが可能である。また、各々のジョブの動作状況表示なども行う。５１７は、ネットワークの通信状態を示すタリーランプであり、通常緑色で、通信しているときは緑色で点滅し、ネットワークエラーの場合には赤色になる。５１８は、ＡＣＳ（オートカラーセレクト）キーであり、コピー原稿がカラーか白黒かを自動的に判別し、カラーならばカラーで、白黒ならば黒単色でスキャンするモードを設定する場合に使用する。５１９は、フルカラーモードキーであり、コピー原稿に関わらずフルカラーでスキャンするモードを設定する場合に使用する。５２０は、ブラックモードキーであり、コピー原稿に関わらず黒単色でスキャンするモードを設定する場合に使用する。５１８〜５２０はトグル動作し、必ずどれか一つが選択されており、選択されているキーが点灯している。
【００４４】
図６は本実施例における操作パネル５１６のコピー標準画面を示した図である。本実施例の画像処理装置は、電源投入時にデフォルトとしてコピー標準画面で起動するようになっている。６０１は、メッセージラインであり、コピージョブの状態をメッセージで表示する。６０２は、倍率表示であり、設定された倍率やコピーモードによって自動的に決められる倍率をパーセントで表示する。６０３は、用紙サイズ表示であり、選択された出力用紙を表示し、自動用紙選択が設定されている場合にはオート用紙というメッセージを表示する。６０４は置数表示であり、何枚コピーするかを示す。６０５は、縮小キーであり、縮小コピーを行いたい場合に使用する。６０６は、等倍キーであり、縮小や拡大が設定されている場合に等倍に戻したいときに使用する。６０７は、拡大キーであり、拡大コピーを行いたい場合に使用する。６０８は、ズームキーであり、細かい単位で倍率を設定して縮小コピーや拡大コピーを行いたい場合に使用する。６０９は、用紙選択キーであり、出力用紙を指定する場合に使用する。６１０は、フィニッシャキーであり、ソートやステイプルのモードを設定する場合に使用する。６１１は両面キーであり、両面モードを設定する場合に使用する。６１２は、濃度表示で、現在の濃度が分かるようになっており、左側が濃度が薄く、右側が濃度が濃いことを示す。また、濃度表示６１２は、うすくキー６１３、こくキー６１５と連動して表示が変化するようになっている。６１３は、うすくキーであり、濃度を薄くしたい場合に使用する。６１４は自動キーであり、自動的に濃度を決定するモードを使用する場合に使用する。６１５は、こくキーであり、濃度を濃くしたい場合に使用する。６１６は、文字キーであり、文字原稿をコピーするのに適した濃度に自動的に設定する文字モードを設定する場合に使用する。６１７は、文字／写真キーであり、写真が混在した原稿をコピーするのに適した濃度に自動的に設定する文字／写真モードを設定する場合に使用する。６１８は、応用モードキーであり、コピー標準画面で設定できない様々なコピーモードを設定する場合に使用する。６１９は、システム状況キーであり、現在この画像入出力システム１００で行われているプリントやスキャンの状況を見たい場合に使用する。システム状況キー６１９は、コピー標準画面だけではなく、常にこの位置に現れており、いつでもこのキーを押すことによりシステムの状況を見ることができるようになっている。この図では図示していないが、６２０の領域はメッセージライン６０１で表示する必要のない優先度の低いアラームや、他の機能の実行状態などをメッセージ表示するステータスラインである。
【００４５】
図７はハードディスク１６２の論理的な使用方法を示した図である。本実施例においては使用用途に応じてハードディスクの記憶領域をテンポラリ領域７０１とボックス領域７０２に論理的に分ける。テンポラリ領域７０１は、画像データの出力順序を変えたり、複数部出力においても一回のスキャンで出力ができるようにするために、ＰＤＬの展開データやスキャナからの画像データを一時的に記憶する記憶領域である。ボックス領域７０２はボックス機能を使用するための記憶領域であり、７０３〜７０７のように登録された数の小さな記憶領域に分割されている。ボックス７０３〜７０７は、各ユーザや会社などの部署毎に割り当てられ、各ボックスにはボックス名とパスワードを付けることができる。ユーザはボックスを指定することでＰＤＬジョブやスキャンジョブを各ボックス入力することができ、パスワードを入力することで実際にボックスの中を見たり、設定変更やプリント出力を行う。
【００４６】
図８は、本実施例におけるボックス登録の手順を示すフローチャートである。ボックスへの登録は、ホストコンピュータ１７０，１８０からのＰＤＬ画像と、スキャナからのスキャン画像の登録があり、それぞれ図８の（ａ）、（ｂ）のフローとなる。なお、図中のＳ８０１〜Ｓ８０８は各ステップを示す。
ＰＤＬ画像を登録する場合、Ｓ８０１では、ＰＣ１７０，１８０上でユーザがプリント設定を行いＳ８０２に進む。プリント設定内容は、部数、用紙サイズ、拡大縮小率、片面／両面、ページ出力順序、ソート出力、ステイプル止めの有無等である。
【００４７】
Ｓ８０２では、ＰＣ１７０，１８０上でボックス番号を設定することで、ハードディスク１６２のボックス領域７０２内の領域が指定され、Ｓ８０３に進む。例えば、ボックス番号が１と指定されると、ボックス領域７０２内のパーソナルボックス領域７０３が指定されることなる。
【００４８】
Ｓ８０３では、ＰＣ１７０，１８０上で印刷指示を与え、それと共にＰＣ１７０，１８０上にインストールされているドライバソフトウェアが印刷対象となるコードデータをいわゆるＰＤＬデータに変換して、Ｓ８０１で設定したプリント設定パラメータとともに、本画像入出力装置の制御装置１１０にＰＤＬデータを転送し、Ｓ８０４に進む。
【００４９】
Ｓ８０４では、転送されたＰＤＬデータを画像データに展開（ラスタライズ）する。画像データの展開が完了するとＳ８０５に進む。
【００５０】
Ｓ８０５では、展開された画像データがハードディスク１６２のボックス領域領域７０２に順次記録され、例えばボックス番号が１のときは、領域７０３内に記憶される。Ｓ８０１で設定したプリント設定パラメータも領域７０３に記録される。ボックス番号が２、３のときはそれぞれ領域７０４、領域７０５に記憶される。
【００５１】
スキャン画像を登録する場合は、まずＳ８０６で画像を入力するボックス番号を指定し、Ｓ８０７に進む。
【００５２】
Ｓ８０７では、画像処理等のスキャン設定を指定し、Ｓ８０８に進む。
【００５３】
Ｓ８０８では、スキャンスタートの指示を出すことで、リーダー部２００で原稿を読み取りＳ８０９に進む。
Ｓ８０９では、Ｓ８０８で読み取った画像をＳ８０６で指定したボックス領域に格納する。
【００５４】
図９は、ボックスキー５０５を押下した場合のＬＣＤ５１６の表示である。この画面はボックスを選択する画面であり、９０１はそのボックス番号、ボックス名、ハードディスク１６２のボックス領域７０２に対してそのボックスがどれだけ容量をとっているかの情報を表示する。ボックス番号を押下すると、図１０に示すパスワード入力画面に遷移する。９０２と９０３はそれぞれ上下スクロールキーであり、９０１の表示を越える数のボックスが登録されているときに、画面をスクロールする場合に使用する。
【００５５】
図１０は、パスワード入力画面である。この画面から各ボックスに設定されているパスワードを入力することで図１１に示すボックス内画面に遷移し、各ボックスにアクセスできるようになる。パスワードが違う場合には、図示していない警告画面に遷移し、ボックスにはアクセスできない。１００１は取消キーであり、図９の画面に戻る。１００２はＯＫキーであり、このキーを押下することで入力したパスワードの確定となり、パスワードの検証が行われる。
【００５６】
図１１は、ボックス内画面である。１１０１はボックス内のファイルリストであり、各ファイルの登録日時、ファイル名がリスト表示される。ファイルを選択するにはファイル名を押下し、現在選択されているファイルは反転表示される。１１０２はスキャンキーであり、現在開いているボックスにスキャナから画像を入力する場合に使用し、図示していないスキャンの設定画面に遷移する。１１０３はプリントキーであり、１１０１で選択しているファイルをプリントする場合に使用する。１１０４は消去キーであり、１１０１で選択しているファイルを消去する場合に使用する。１１０５と１１０６はそれぞれ上下スクロールキーであり、１１０１の表示を超える数のファイルが登録されているときに、画面をスクロールする場合に使用する。１１０７は閉じるキーであり、図９の画面に戻るときに使用する。
【００５７】
図１２は、ボックスプリント設定変更画面であり、図１１に示すボックス内画面でファイルを選択し、プリントキー１１０３を押下するとこの画面に遷移する。１２０１は選択されているファイルの設定部数であり、この画面でテンキー５１３により部数を変更することが可能である。１２０２は選択されているファイルが、カラー、白黒、カラーと白黒混在のいずれかであることを示す表示である。この例ではカラーと白黒のページが混在していることを示している。１２０３は白黒変換キーであり、１２０２がカラーもしくは混在である場合にのみ表示され、このキーを押下してプリントを行うことで、カラーのページを白黒でプリント出力することができる。白黒変換キー１２０３はトグル表示され、反転しているときは白黒変換が有効になっていることを示す。１２０４は設定変更キーであり、このキーを押下することで、両面、フィニッシング等、その他の設定を行う画面に遷移する。１２０６は取消キーであり、押下することでプリントせず図１１の画面に戻ることができる。１２０５はＯＫキーであり、図１２の画面で表示されている部数、カラーでプリント出力のトリガをかけるために使用する。
【００５８】
図１３は、本実施例におけるボックスプリント出力の白黒変換手順を示すフローチャートである。なお、図中のＳ１３０１〜Ｓ１３０７は各ステップを示す。
【００５９】
Ｓ１３０１では、図９〜図１２の流れでプリント出力するファイルの選択と設定変更を行い、出力トリガをかけてＳ１３０２に進む。
【００６０】
Ｓ１３０２では、ハードディスク１６２から指定ファイルの１ページを読み出し、Ｓ１３０３に進む。
【００６１】
Ｓ１３０３では、図１２で指定した白黒変換設定を参照し、白黒変換する設定だった場合はＳ１３０４に進み、そうでなければＳ１３０６に進む。
【００６２】
Ｓ１３０４では、読み出したページがカラーページかどうかを判断し、カラーページの場合はＳ１３０５に進み、そうでなければＳ１３０６に進む。
【００６３】
Ｓ１３０５では、読み出したページを図４の色空間変換回路を使用して白黒画像に変換し、Ｓ１３０６に進む。
【００６４】
Ｓ１３０６では、読み出したページもしくは白黒変換したページをプリント出力し、Ｓ１３０７に進む。
【００６５】
Ｓ１３０７では、プリント出力したページが最終ページ（複数部の場合は、最終部最終ページ）であるかどうかを判断し、最終ページならば終了し、そうでなければＳ１３０２に戻る。
【００６６】
図１４は、本実施例におけるＩＤ入力画面である。本実施例においては、部門毎のカウントを管理するソフトウェアとしての部門ＩＤとしているが、ＩＤカードの読み取り装置を装着し、ＩＤカードで管理してももちろんかまわない。
【００６７】
この画面で部門ＩＤと暗証番号を入力すると、図６や図９に示すコピーやボックスの標準画面に入ることができ、コピーやボックスプリントを行うと、そのプリント枚数が入力した部門ＩＤにカウントされていき、どの部門がどれだけプリントしたかを後ほどチェックすることができる。また、従来からコピーに関しては、部門ＩＤを入力しなくても白黒コピーを行うことができるようにする機能がある。本実施例においては、その機能をボックスプリントに適用するものである。
【００６８】
部門ＩＤ毎のカウンタはＨＤ１６２保持してもよいし、カウンタ用に不揮発性のメモリモジュールを用意してもかまわない。
【００６９】
１４０１は部門ＩＤキーであり、このキーを押下することで、１４０２のＩＤ入力表示部分が有効になり、テンキー５１３により部門ＩＤを入力することが可能となる。
【００７０】
１４０３は暗証番号キーであり、このキーを押下することで、１４０４の暗証番号入力表示部分が有効になり、テンキー５１３により暗証番号を入力することが可能となる。暗証番号入力表示部分１４０４は、暗証番号の数字１つに対し「＊」を１つ表示することで、暗証番号を他人に見られず、暗証番号入力の個数がわかるようになっている。１４０１〜１４０４で部門ＩＤと暗証番号を入力し、ＩＤキー５１５を押下することで、部門ＩＤが有効になり、図６の基本画面に遷移する。
【００７１】
１４０５は部門ＩＤなしキーであり、１４０１〜１４０４で部門ＩＤを入力しなくても、このキーを押下することで、図６の基本画面に遷移する。このモードで基本画面に入りコピーやボックスプリントを行った場合、各部門ＩＤに対応するカウンタにカウントされない代わりに、白黒コピーおよび白黒ボックスプリントしか行うことができない。
【００７２】
図１５は、本実施例における強制白黒モードの判断を示すフローチャートである。なお、図中のＳ１５０１〜Ｓ１５０７は各ステップを示す。
【００７３】
図１４の部門ＩＤなしキー１４０５を押下して基本画面に入った場合、白黒プリントしかできないため、ボックスのカラー文書や白黒カラー混在文書をプリントする場合、本実施例においては強制的に白黒に変換してプリントする。
【００７４】
Ｓ１５０１では、図１４に示す部門ＩＤ入力画面から部門ＩＤなしキー１４０５が押下され、Ｓ１５０２に進む。
【００７５】
Ｓ１５０２では、図１１のボックス文書リストで文書を選択し、プリント設定変更を行う場合は図１２の画面からプリント設定変更を行い、Ｓ１５０３に進む。
【００７６】
Ｓ１５０３では、Ｓ１５０２で選択された文書のプリントを開始し、Ｓ１５０４に進む。
【００７７】
Ｓ１５０４では、Ｓ１５０２で選択された文書にカラーページが存在するかどうかを判断し、１ページでもカラーページが存在した場合はＳ１５０５に進み、全てのページが白黒ページだった場合はＳ１５０６に進む。
【００７８】
Ｓ１５０５では、Ｓ１５０４で判断したカラーページが白黒変換可能な画像かを判断し、可能であればＳ１５０６に進み、不可能であればＳ１５０７に進む。ここで白黒変換可能／不可能の条件は特に示さないが、例えば色空間によって白黒変換すると画像劣化が大きい場合はその色空間を白黒変換不可能とするといったことが考えられる。この条件をユーザや管理者に予め設定させておくことができるようにしてもよい。
【００７９】
Ｓ１５０６では、図１３に示す白黒変換プリント処理を行う。
【００８０】
Ｓ１５０７では、白黒変換ができないことを示す警告メッセージを表示し、プリントせずに図１１のボックス文書リストに戻る。本実施例においては、白黒変換できない文書に対し、一旦プリントスタートをかけた後に警告メッセージ表示を行うが、白黒変換できない文書は図１１のボックス文書リスト上で選択できなくしてももちろんかまわない。
【図面の簡単な説明】
【００８１】
【図１】本装置の全体構成を示すブロック図である。
【図２】本装置のリーダー部及びプリンタ部の外観図である。
【図３】本装置の制御装置部のブロック図である。
【図４】本実施例のハードディスクの論理的な使用方法を示した図である。
【図５】本実施例における画像入出力装置のボックスへの記憶を示すフローチャートである。
【図６】本実施例における画像入出力装置のボックスからの出力を示すフローチャートである。
【図７】本実施例におけるボックス機能のボックス選択画面の操作部表示を示した図である。
【図８】本実施例におけるボックス機能のパスワード入力画面の操作部表示を示した図である。
【図９】本実施例におけるボックス機能のボックス内文書ト選択画面の操作部表示を示した図である。
【図１０】本実施例におけるパスワード入力画面の操作部表示を示した図である。
【図１１】本実施例におけるボックス内画面の文書リストの操作部表示を示した図である。
【図１２】本実施例におけるボックスプリント設定変更画面の操作部表示を示した図である。
【図１３】本実施例におけるボックスプリント出力の白黒変換手順を示すフローチャートである。
【図１４】本実施例におけるＩＤ入力画面の操作部表示を示した図である。
【図１５】本実施例における強制白黒モードの判断を示すフローチャートである。
【符号の説明】
【００８２】
１１０  制御装置
１１２  ＣＰＵ
１１３  バスコントローラ
１１４  ＲＯＭ
１１５  ＲＯＭ  Ｉ／Ｆ
１５０  操作部
１７０，１８０  ホストコンピュータ
２００  リーダー部
２１０  スキャナユニット
２５０  原稿給紙ユニット
３００  プリンタ部
３１０  マーキングユニット
３６０  給紙ユニット
３７０  排紙ユニット
４００  ネットワーク
【図１】
2005195865.tif 000003
【図２】
2005195865.tif 000004
【図３】
2005195865.tif 000005
【図４】
2005195865.tif 000006
【図５】
2005195865.tif 000007
【図６】
2005195865.tif 000008
【図７】
2005195865.tif 000009
【図８】
2005195865.tif 000010
【図９】
2005195865.tif 000011
【図１０】
2005195865.tif 000012
【図１１】
2005195865.tif 000013
【図１２】
2005195865.tif 000014
【図１３】
2005195865.tif 000015
【図１４】
2005195865.tif 000016
【図１５】
2005195865.tif 000017